(57)【要約】【課題】緊急通報が必要な異常時だけでなく、緊急通報が不要な正常時にも、その旨を通知することのできる緊急通報装置を提供する。【解決手段】電話回線網を介して外部の電話端末との間で通信を行うための電話回線制御部２２を備えた緊急通報装置１０において、マイコン３０は、操作部１４から緊急通報指令が入力されるか、人感センサ４４を備えた検出部１２にて所定時間監視対象者の動きが検出されないときに、通報先の電話端末にその旨を表すメッセージを緊急送信する。また、人感センサ４４を備えた検出部１２にて監視対象者の動きが検出されているときには、マイコン３０は、予め設定された定期送信時刻に、通報先の電話端末を所定期間呼び出すことで、監視対象者が正常であることを通知する。【選択図】図２
2016095717.tif 000002
【特許請求の範囲】
【請求項１】
緊急通報指令を入力するための操作部と、
電話回線網を介して外部の電話端末との間で通信を行うための電話回線制御部と、
前記操作部から緊急通報指令が入力されると、前記電話回線制御部を介して、予め登録された緊急通報先の電話端末を呼び出し、所定のメッセージを送信する緊急通報手段と、
監視対象領域内で人の動きを検出するための検出部と、
現在時刻が予め登録された定期送信時刻に達すると、当該定期送信時刻までの所定の正常判定期間内に前記検出部にて人の動きが検出されたか否かを判定し、前記検出部にて人の動きが検出されているときには、予め登録された定期送信先の電話端末を呼び出し、一定の呼び出し期間経過後に電話回線を切断する定期送信手段と、
を備えたことを特徴とする緊急通報装置。
【請求項２】
前記緊急通報手段は、予め設定された異常判定期間の間、前記検出部にて人の動きが検出されないときにも、前記緊急通報先の電話端末を呼び出し、所定のメッセージを送信することを特徴とする請求項１に記載の緊急通報装置。
【請求項３】
前記定期送信手段は、前記定期送信先の電話端末を、送信元の電話番号を通知しない非通知にて呼び出し、
前記緊急通報手段は、前記緊急通報先の電話端末を呼び出す際に、送信元の電話番号を通知する、
ことを特徴とする請求項１又は請求項２に記載の緊急通報装置。
【請求項４】
前記定期送信手段が呼び出す定期送信先の電話端末は、複数登録可能であり、
前記定期送信手段は、該複数の電話端末を順に呼び出すことを特徴とする請求項１〜請求項３の何れか１項に記載の緊急通報装置。
【請求項５】
前記緊急通報手段が呼び出す緊急通報先の電話端末は、複数登録可能であり、
前記緊急通報手段は、該複数の電話端末の内の一つが応答するまで各電話端末を順に呼び出すことで、応答した一つの電話端末に前記メッセージを送信することを特徴とする請求項１〜請求項４の何れか１項に記載の緊急通報装置。
【発明の詳細な説明】
【技術分野】
【０００１】
本発明は、電話回線網を介して所定の連絡先に緊急通報を行う緊急通報装置に関する。
【背景技術】
【０００２】
緊急通報用の押しボタンが操作されると、電話回線網を介して予め登録された電話端末を呼び出し、緊急通報用の音声メッセージを送信するように構成された緊急通報装置が知られている（例えば、特許文献１参照）。
【先行技術文献】
【特許文献】
【０００３】
【特許文献１】特開２０１４−７４６２号公報
【発明の概要】
【発明が解決しようとする課題】
【０００４】
この種の緊急通報装置は、例えば、老人が一人暮らししている家に設置すれば、老人が押しボタンを操作することで、所定の連絡先（別居家族等）に異常を通知することができるようになるため、独居老人の見守り装置として利用することができる。
【０００５】
しかし、従来の緊急通報装置は、何らかの異常が発生したときに緊急通報を行うためのものであることから、老人の見守り装置として利用しても、老人が正常に生活していることを別居家族に通知することはできなかった。
【０００６】
そこで、本発明は、緊急通報が必要な異常時だけでなく、緊急通報が不要な正常時にも、その旨を通知することのできる緊急通報装置を提供することを目的とする。
【課題を解決するための手段】
【０００７】
かかる目的を達成するためになされた請求項１に記載の緊急通報装置は、
緊急通報指令を入力するための操作部と、
電話回線網を介して外部の電話端末との間で通信を行うための電話回線制御部と、
前記操作部から緊急通報指令が入力されると、前記電話回線制御部を介して、予め登録された緊急通報先の電話端末を呼び出し、所定のメッセージを送信する緊急通報手段と、
監視対象領域内で人の動きを検出するための検出部と、
現在時刻が予め登録された定期送信時刻に達すると、当該定期送信時刻までの所定の正常判定期間内に前記検出部にて人の動きが検出されたか否かを判定し、前記検出部にて人の動きが検出されているときには、予め登録された定期送信先の電話端末を呼び出し、一定の呼び出し期間経過後に電話回線を切断する定期送信手段と、
を備えたことを特徴とする。
【０００８】
また、請求項２に記載の発明は、請求項１に記載の緊急通報装置において、
前記緊急通報手段は、予め設定された異常判定期間の間、前記検出部にて人の動きが検出されないときにも、前記緊急通報先の電話端末を呼び出し、所定のメッセージを送信することを特徴とする。
【０００９】
また、請求項３に記載の発明は、請求項１又は請求項２に記載の緊急通報装置において、
前記定期送信手段は、前記定期送信先の電話端末を、送信元の電話番号を通知しない非通知にて呼び出し、
前記緊急通報手段は、前記緊急通報先の電話端末を呼び出す際に、送信元の電話番号を通知する、
ことを特徴とする。
【００１０】
また、請求項４に記載の発明は、請求項１〜請求項３の何れか１項に記載の緊急通報装置において、
前記定期送信手段が呼び出す定期送信先の電話端末は、複数登録可能であり、
前記定期送信手段は、該複数の電話端末を順に呼び出すことを特徴とする。
【００１１】
また、請求項５に記載の発明は、請求項１〜請求項４の何れか１項に記載の緊急通報装置において、
前記緊急通報手段が呼び出す緊急通報先の電話端末は、複数登録可能であり、
前記緊急通報手段は、該複数の電話端末の内の一つが応答するまで各電話端末を順に呼び出すことで、応答した一つの電話端末に前記メッセージを送信することを特徴とする。
【発明の効果】
【００１２】
請求項１に記載の緊急通報装置には、緊急通報指令を入力するための操作部と、電話回線網を介して外部の電話端末との間で通信を行うための電話回線制御部と、監視対象領域内で人の動きを検出するための検出部と、が備えられている。
【００１３】
そして、操作部から緊急通報指令が入力されると、緊急通報手段が、電話回線制御部を介して予め登録された緊急通報先の電話端末を呼び出し、所定のメッセージを送信する。
また、現在時刻が予め登録された定期送信時刻に達すると、定期送信手段が、定期送信時刻までの所定の正常判定期間内に検出部にて人の動きが検出されたか否かを判定し、検出部にて人の動きが検出されているときには、予め登録された定期送信先の電話端末を呼び出し、一定の呼び出し期間経過後に電話回線を切断する。
【００１４】
このため、本発明の緊急通報装置によれば、操作部から緊急通報指令が入力されたときに緊急通報先の電話端末に対し緊急通報を行うことができるだけでなく、監視対象領域内で人が動いているときに定期送信先の電話端末に対し定期送信を行うことができる。
【００１５】
従って、本発明の緊急通報装置を、例えば、一人暮らしの老人が住む家に設置すれば、定期送信により、老人が家で正常に生活していることを、別居家族が持っている電話端末に定期的に送信することができるようになる。よって、本発明の緊急通報装置は、老人等の見守りに適した装置となる。
【００１６】
また、定期送信は、一定の呼び出し期間だけ定期送信先の電話端末を呼び出し、その後、電話回線を切断することから、定期送信先の電話端末側では、別居家族が電話に出ることなく、老人が正常に生活していることを確認できるようになり、定期送信による通信費用を抑制できる。
【００１７】
また、この場合、定期送信時の電話の呼び出し期間を短くして、１回の呼び出し（発呼）だけで電話を切る所謂ワン切りを実施するようにするか、或いは、発呼回数を２〜３回に制限するようにすれば、別居家族は、通常の電話呼び出しか、緊急通報装置からの定期送信かを容易に識別することができるようになる。
【００１８】
次に、請求項２に記載の緊急通報装置においては、緊急通報手段は、予め設定された異常判定期間の間、検出部にて人の動きが検出されないときにも、緊急通報先の電話端末を呼び出し、所定のメッセージを送信する。
【００１９】
従って、請求項２に記載の緊急通報装置によれば、監視対象となる老人が監視対象領域内にいないとき、或いは、監視対象領域内で倒れて動けなくなったときに、緊急通報先の電話端末を呼び出し、その所有者（別居家族等）にその旨を通知することができる。
【００２０】
なお、監視通報装置は、定期送信手段が呼び出す定期送信先の電話端末と、緊急通報手段が呼び出し緊急通報先の電話端末とに、各々別の電話番号を登録できるように構成されていてもよく、共通の電話番号を登録するように構成されていてもよい。
【００２１】
そして、特に、定期送信先及び緊急通報先の電話端末を共通にした場合には、請求項３に記載のように、定期送信先の電話端末を呼び出す際には、送信元の電話番号を通知しない非通知にて呼び出し、緊急通報先の電話端末を呼び出す際には、送信元の電話番号を通知するようにするとよい。
【００２２】
つまり、このようにすれば、その電話端末を所有する者（別居家族等）は、非通知による呼び出しがあった際に、その呼び出し時刻から緊急通報装置からの定期送信を認識することができるようになる。また、緊急通報装置からの緊急通報時には、送信元の電話番号から緊急通報を認識して、電話に出ることができるようになる。
【００２３】
一方、定期送信手段が呼び出す定期送信先の電話端末は、複数登録できるようにしてもよい。そして、この場合、請求項４に記載のように、定期送信手段は、定期送信する際に、その登録された複数の電話端末を順に呼び出すように構成すれば、各電話端末を所有する複数の者に、それぞれ、監視対象者が正常に動いていることを通知することができるようになる。
【００２４】
また、緊急通報手段が呼び出す緊急通報先の電話端末についても、複数登録できるようにしてもよい。そして、この場合、請求項５に記載のように、緊急通報手段は、複数の電話端末の内の一つが応答するまで各電話端末を順に呼び出すことで、応答した一つの電話端末にメッセージを送信するように構成すれば、緊急通報を、より確実に、且つ、短時間で行うことができるようになる。
【００２５】
なお、本発明において、電話端末は、電話回線網を介して通信ができる端末装置であればよく、通話可能な電話機であっても、ファクシミリ装置やモデム等の通信端末であってもよい。
【００２６】
また、緊急通報用のメッセージは、緊急通報先の電話端末に対応していればよく、後述実施例に記載のような音声メッセージであっても、或いは、文字や図形等からなる画像によるメッセージであってもよい。
【図面の簡単な説明】
【００２７】
【図１】実施形態の緊急通報システム全体の構成を表すブロック図である。
【図２】緊急通報装置、検出部及び操作部の構成を表すブロック図である。
【図３】緊急通報装置のマイコンにて実行される制御処理を表すフローチャートである。
【図４】図３に示す緊急通報処理の詳細を表すフローチャートである。
【図５】図３に示す定期送信処理の詳細を表すフローチャートである。
【図６】図３に示す動作設定処理の詳細を表すフローチャートである。
【図７】動作テストの実行後に設定部に通知される動作ログの一例を表す説明図である。
【発明を実施するための形態】
【００２８】
以下に本発明の実施形態を図面と共に説明する。
図１に示すように、本実施形態の緊急通報システムは、例えば、監視対象となる老人が暮らす監視対象住宅２に設置される緊急通報装置１０と、緊急通報装置１０が緊急通報を行う連絡先である監視者側の電話端末４と、を中心に構成されている。
【００２９】
電話端末４は、公衆電話回線網９に有線若しくは無線にて接続されて、他の電話端末との間で通話が可能な一般的な電話端末（固定電話、携帯電話、高機能携帯電話（スマートフォン：以下、スマホともいう））である。
【００３０】
緊急通報装置１０は、緊急通報を行う連絡先として複数の電話端末４（詳しくはその電話番号）を登録可能であり、監視対象となる老人が居なくなったときや、緊急通報用の押しボタンが押下されたときに、登録された電話端末４を呼び出し、監視者に所定の音声メッセージを通知する。
【００３１】
このため、緊急通報装置１０は、監視対象住宅２内で電話線を介して公衆電話回線網９に接続されている壁面端子８に、分配器７を介して接続されている。なお、分配器７は、壁面端子８に、固定電話機６と緊急通報装置１０とを接続するためのものである。
【００３２】
また、緊急通報装置１０は、監視対象住宅２内に別途設置された検出部１２や操作部１４との間で、４２６ＭＨｚ帯の特定小電力無線信号による無線通信が可能であり、動作設定用の設定部１６との間で、２．４ＧＨｚ帯のブルートゥース（Bluetooth：登録商標）の無線信号による無線通信が可能である。
【００３３】
ここで、検出部１２は、人感センサを介して監視対象住宅２内の所定の監視対象領域内で人の動きを検出するためのものであり、人感センサによる検出結果を、特定小電力無線にて緊急通報装置１０に無線送信する。
【００３４】
また、検出部１２は、監視対象者等の操作者が操作するための押しボタンを備え、押しボタンが押下されたときに、緊急通報指令を、特定小電力無線にて緊急通報装置１０に無線送信する。
【００３５】
また、設定部１６は、監視者が手動操作によって緊急通報装置１０の動作設定を行うための情報処理端末であり、緊急通報装置１０との間でブルートゥースによる無線通信を行うことで、緊急通報装置１０を動作設定する。
【００３６】
このため、設定部１６としては、パソコン、ノートパソコン、タブレット、スマホ、…といった各種情報処理端末を利用でき、例えば、緊急通報対象となる監視者側の電話端末４がブルートゥースによる無線通信が可能な高機能携帯電話（スマホ）である場合には、その電話端末４を設定部１６として利用することもできる。
【００３７】
なお、検出部１２及び操作部１４は、緊急通報装置１０に対し、特定小電力無線による無線通信にて、人感センサによる検出結果や緊急通報指令を送信するが、これは、検出部１２及び操作部１４を、例えば、居間、台所、寝室、風呂、トイレ、…といった監視対象住宅２内の任意の場所（監視対象エリア）に簡単に設置できるようにするためである。
【００３８】
次に、緊急通報装置１０、検出部１２、及び、操作部１４の構成を、図２（ａ）〜（ｃ）に基づき説明する。
図２（ａ）に示すように、緊急通報装置１０には、監視者側の電話端末４との間で通信を行うための手段として、電話線を介して分配器７（若しくは壁面端子８）に接続するための電話コネクタ２１、公衆電話回線網９を介して他の電話端末を呼び出し、通信を行うための電話回線制御部２２、及び、電話回線制御部２２が他の電話端末に送信する音声メッセージ（音声信号）を生成するための音声制御部２８、が備えられている。
【００３９】
また、緊急通報装置１０には、検出部１２及び操作部１４との間で特定小電力無線による無線通信を行うためのアンテナ２３及び第１無線制御部２４と、設定部１６との間でブルートゥースによる無線通信を行うためのアンテナ２５及び第２無線制御部２６と、緊急通報装置１０の動作状態を表示するための発光ダイオード（ＬＥＤ）３２と、が備えられている。
【００４０】
また、緊急通報装置１０には、使用者（通常、監視対象者）が操作するための操作部として、緊急通報用の押しボタン（緊急ボタン）３４、外出通知用の押しボタン（外出ボタン）３５、及び、設定部１６との間でブルートゥースによる無線通信回線を接続するための（所謂ペアリングするための）押しボタン（通信ボタン）３６が備えられている。
【００４１】
そして、上記各部は、中央処理回路として機能するマイクロコンピュータ（マイコン）３０に接続されており、マイコン３０は、第２無線制御部２６にて受信される設定部１６からの指令に従い自身の動作設定を行う。
【００４２】
また、マイコン３０は、第１無線制御部２４にて受信される検出結果や緊急通報指令、緊急ボタン３４及び外出ボタン３５の操作状態、等に基づき、監視者側の電話端末４に緊急通報若しくは定期送信を行うか否かを判定して、電話端末４に緊急通報若しくは定期送信を行う。
【００４３】
また、緊急通報装置１０には、ＡＣアダプタ（図示せず）から電源電圧（直流電圧）を取り込むためのＡＣジャック３７と、ＡＣジャック３７を介して取り込んだ直流電圧にて、マイコン３０等の内部回路に供給を行う電源制御部３８とが備えられている。
【００４４】
電源制御部３８は、ＡＣアダプタからＡＣジャック３７に電源電圧が供給されているときには、その電源電圧にて、内部回路駆動用の電源電圧を生成し、上記各内部回路に電源供給を行う。
【００４５】
また、電源制御部３８は、ＡＣアダプタからＡＣジャック３７に電源電圧が供給されていないときには、電話線を介して電話コネクタ２１に入力される公衆電話回線網９からの供給電圧（直流電圧）にて、内部回路駆動用の電源電圧を生成し、上記各内部回路に電源供給を行う。
【００４６】
なお、電源制御部３８は、ＡＣアダプタからＡＣジャック３７に電源電圧が供給されていないときには、緊急通報装置１０での消費電力を抑えるために、マイコン３０に対し、第１無線制御部２４及び第２無線制御部２６の動作を停止させ、電話端末４にＡＣアダプタからの電源供給が停止したことを通知させる。
【００４７】
そして、マイコン３０は、ＡＣアダプタからＡＣジャック３７に電源電圧が供給されているときには、ＬＥＤ３２を点灯し、ＡＣアダプタからＡＣジャック３７に電源電圧が供給されていないときには、ＬＥＤ３２を消灯する。
【００４８】
また、マイコン３０は、第１無線制御部２４にて特定小電力による無線通信がなされているときにも、ＬＥＤ３２を消灯し、電話回線制御部２２にて監視者側の電話端末４との間で通信（緊急通報又は定期送信）しているときには、ＬＥＤ３２を点滅させる。
【００４９】
つまり、マイコン３０は、ＬＥＤ３２を点灯・消灯・点滅させることで、緊急通報装置１０の動作状態を報知する。
次に、検出部１２は、図２（ｂ）に示すように、緊急通報装置１０との間で特定小電力無線による無線通信を行うためのアンテナ４１及び第１無線制御部４２と、所定の監視対象領域内で人の動き（詳しくは熱源が動いたこと）を検知するための人感センサ４４と、検出部１２の動作状態を表示するための発光ダイオード（ＬＥＤ）４６と、これら各部に接続されたマイコン５０と、が備えられている。
【００５０】
マイコン５０は、人感センサ４４にて人の動きが検出されると、第１無線制御部４２を介して緊急通報装置１０にその旨を通知する。また、マイコン５０は、第１無線制御部４２が緊急通報装置１０との間で無線通信を行っているときには（つまり検出結果送信時）には、ＬＥＤ４６を点灯させ、そうでなければ、ＬＥＤ４６を消灯させる。
【００５１】
また、検出部１２には、ＡＣアダプタ（図示せず）から電源電圧（直流電圧）を取り込むためのＡＣジャック４７と、ＡＣジャック４７を介して取り込んだ直流電圧にて、マイコン５０等の内部回路に供給を行う電源制御部４８とが備えられている。
【００５２】
このため、検出部１２は、ＡＣアダプタからＡＣジャック４７に電源電圧が供給されているときに、動作可能となり、人感センサ４４による検出結果を、緊急通報装置１０に送信する。
【００５３】
次に、操作部１４は、図２（ｃ）に示すように、緊急通報装置１０との間で特定小電力無線による無線通信を行うためのアンテナ６１及び第１無線制御部６２と、監視対象者等の使用者が操作するための押しボタン６４と、操作部１４の状態を表示するための発光ダイオード（ＬＥＤ）６６と、これら各部に接続されたマイコン７０と、が備えられている。
【００５４】
また、操作部１４には、アルカリ電池等からなる電池６７と、電池６７から電力供給を受けて、マイコン７０等の内部回路に供給を行う電源制御部６８とが備えられている。
そして、マイコン７０は、押しボタン６４が操作（押下）されると、第１無線制御部６２を介して緊急通報装置１０に緊急通報指令を送信する。また、マイコン７０は、電池６７の残容量を監視し、残容量が低下したとき（換言すれば、残容量が所定の閾値以下であるとき）には、第１無線制御部６２を介して、その旨を緊急通報装置１０に通知する。
【００５５】
また、マイコン７０は、第１無線制御部４２が緊急通報装置１０との間で無線通信を行っているときには（つまり緊急通報指令送信時や電池６７の残容量低下通知時）には、ＬＥＤ４６を点灯させ、そうでなければ、ＬＥＤ４６を消灯させる。
【００５６】
また、マイコン７０は、電池６７の残容量低下通知後、電池６７が交換されるまでの間（つまり、残量用低下時）は、ＬＥＤ４６を点滅させることで、電池６７の残容量低下を報知する。
【００５７】
また更に、検出部１２及び操作部１４において、マイコン５０、７０は、それぞれ、第１無線制御部４２、６２を介して、所定時間間隔で（例えば、２４時間毎に）定期信号を送信する。
【００５８】
これは、緊急通報装置１０に対し、自身が正常動作していることを通知するためであり、緊急通報装置１０側では、この定期信号の有無によって検出部１２及び操作部１４が正常動作しているか否かを判定する。
【００５９】
次に、本実施形態の緊急通報システム全体の動作を、緊急通報装置１０のマイコン３０にて実行される制御処理（図３参照）に沿って説明する。
なお、この制御処理を実行するに当たって、緊急通報装置１０には、子機として、検出部１２及び操作部１４を最大Ｘｍａｘ個（例えば１０個）登録できるようになっており、緊急通報を行う監視者側の電話端末４として、最大Ｎｍａｘ個（例えば３個）登録できるようになっているものとする。
【００６０】
また、緊急通報装置１０には、通信対象となる子機（検出部１２，操作部１４）の識別情報、監視者側の電話端末４の電話番号、その電話端末４に送信する後述のメッセージＡ〜Ｅ、監視対象者が正常であるときに電話端末４に定期送信する時刻（定期送信時刻）、等が、予め登録されているものとする。
【００６１】
図３に示すように、この制御処理は、緊急通報装置１０の電源が投入されてマイコン３０が起動された後、繰り返し実行される処理であり、制御処理が開始されると、まずＳ１１０（Ｓはステップを表す）にて、子機の登録番号Ｘに初期値１を設定する。
【００６２】
次に、Ｓ１２０では、登録番号Ｘの子機（以下、子機Ｘと記載する）が登録されているか否かを判断し、子機Ｘが登録されていなければ、後述のＳ２９０に移行する。
また、Ｓ１２０にて、子機Ｘが登録されていると判断されると、Ｓ１３０に移行して、子機Ｘは操作部１４であるか否かを判断する。
【００６３】
そして、子機Ｘが操作部１４であれば、Ｓ１４０に移行して、第１無線制御部２４が、子機Ｘからの緊急通報指令を受信したか否かを判断し、緊急通報指令を受信していれば、Ｓ１５０にて、緊急通報処理を実行することで、電話回線制御部２２を介して、監視者側の電話端末４に、操作部１４からの緊急通報指令に対応するメッセージＡを送信する。
【００６４】
なお、このメッセージＡは、例えば、「緊急連絡です。子機Ｘの押しボタンが押されました。」というものであり、Ｓ１５０の緊急通報処理では、音声制御部２８に対し、このメッセージに対応した音声信号を出力させる。
【００６５】
また、Ｓ１５０にて緊急通報処理を実行するか、或いは、Ｓ１４０にて子機Ｘからの緊急通報指令は受信していないと判断されると、Ｓ２２０に移行し、第１無線制御部２４が、子機Ｘから、電池６７の残容量低下を表す通知信号を受信したか否かを判断する。
【００６６】
そして、Ｓ２２０にて、子機Ｘから残容量低下の通知信号を受信したと判断されると、Ｓ２３０にて緊急通報処理を実行した後、Ｓ２４０に移行し、Ｓ２２０にて、子機Ｘから残容量低下の通知信号を受信していないと判断されると、そのままＳ２４０に移行する。
【００６７】
なお、Ｓ２３０の緊急通報処理では、音声制御部２８に対し、例えば、「子機Ｘの電池を交換してください。」というような、電池交換を促すメッセージＣを、音声信号に変換させることで、このメッセージＣを監視者側の電話端末４に送信させる。
【００６８】
次に、Ｓ１３０にて、子機Ｘは操作部１４ではないと判断された場合（つまり、子機Ｘが検出部１２である場合）には、Ｓ１６０に移行し、現在時刻は予め設定されている監視時間帯内にあるか否かを判断する。
【００６９】
そして、現在時刻が監視時間帯から外れていれば、Ｓ２１０に移行し、現在時刻が監視時間帯内にあれば、Ｓ１７０に移行して、第１無線制御部２４が、子機Ｘから、人感センサ４４にて人の動きを検出した旨を表す検出信号を受信したか否かを判断する。
【００７０】
Ｓ１７０にて、第１無線制御部２４が検出信号を受信したと判断されると、Ｓ２１０に移行する。そして、Ｓ２１０では、子機として登録されている全ての検出部１２に共通の共通カウンタをクリアし、Ｓ２４０に移行する。
【００７１】
なお、外出ボタン３５を介して、監視対象者が外出中であることが入力されてから、監視対象者が帰宅したことが入力されるまでの間は、監視対象者の動きを監視する必要がないので、共通カウンタは、クリア状態に保持される。
【００７２】
一方、Ｓ１７０にて、第１無線制御部２４が検出信号を受信していないと判断されると、Ｓ１８０に移行して、共通カウンタをカウントアップすることで、子機として登録されている全ての検出部１２で人の動きを検出できていない時間を計時する。
【００７３】
そして、続くＳ１９０では、共通カウンタによる計時時間が、予め設定された異常判定閾値以上であるか否かを判断することで、監視対象者に異常が生じたか否かを判断する。
Ｓ１９０にて、共通カウンタによる計時時間が異常判定閾値以上であり、監視対象者に異常が生じたと判断すると、Ｓ２００にて緊急通報処理を実行した後、Ｓ２４０に移行し、Ｓ１９０にて、共通カウンタによる計時時間は異常判定閾値未満であると判断されると、そのままＳ２４０に移行する。
【００７４】
なお、Ｓ２００の緊急通報処理では、音声制御部２８に対し、例えば、「緊急連絡です。全ての人感センサが一定時間動きを感知していません。」というような、監視対象者の異常を通報するメッセージＢを、音声信号に変換させることで、このメッセージＢを監視者側の電話端末４に送信させる。
【００７５】
次に、Ｓ２４０では、第１無線制御部２４が、子機Ｘから所定時間間隔で（例えば、２４時間毎に）送信されてくる定期信号を受信したか否かを判断する。
そして、第１無線制御部２４が子機Ｘからの定期信号を受信していれば、Ｓ２６０に移行して、子機Ｘの定期通信カウンタをクリアし、Ｓ２７０に移行する。
【００７６】
また、第１無線制御部２４が子機Ｘからの定期信号を受信していなければ、Ｓ２５０に移行して、子機Ｘの定期通信カウンタをカウントアップすることで、子機Ｘから定期信号が送信されてこない時間を計時し、Ｓ２７０に移行する。
【００７７】
Ｓ２７０では、子機Ｘの定期通信カウンタによる計時時間が、子機である検出部１２及び操作部１４の動作停止判定用として予め設定された子機判定閾値以上になっているか否かを判断する。そして、子機Ｘの定期通信カウンタによる計時時間が子機判定閾値未満であれば、Ｓ２９０に移行し、子機Ｘの定期通信カウンタによる計時時間が子機判定閾値以上であれば、Ｓ２８０にて緊急通報処理を実行した後、Ｓ２９０に移行する。
【００７８】
なお、Ｓ２８０の緊急通報処理では、音声制御部２８に対し、例えば、「子機Ｘの動作が異常です。」というようなメッセージＤを、音声信号に変換させることで、このメッセージＤを監視者側の電話端末４に送信させる。
【００７９】
次に、Ｓ２９０では、上記Ｓ１２０〜Ｓ２８０の一連の処理を、子機として登録されている全ての検出部１２又は操作部１４に対し実行するために、子機番号Ｘをカウントアップし、Ｓ３００にて、その子機番号Ｘが最大値Ｘｍａｘを越えたか否かを判断する。
【００８０】
そして、子機番号Ｘが最大値Ｘｍａｘを越えていなければ、子機番号Ｘの子機に対する上記Ｓ１２０〜Ｓ２８０の一連の処理を実行するために、Ｓ１２０に移行し、子機番号Ｘが最大値Ｘｍａｘを越えていれば、Ｓ３１０に移行する。
【００８１】
Ｓ３１０では、電源制御部３８の動作状態に基づきＡＣジャック３７にＡＣアダプタが接続されているか否かを判断する。そして、ＡＣジャック３７にＡＣアダプタが接続されていれば、そのままＳ３３０に移行し、ＡＣジャック３７にＡＣアダプタが接続されていなければ、Ｓ３２０にて緊急通報処理を実行した後、Ｓ３３０に移行する。
【００８２】
なお、Ｓ３２０の緊急通報処理では、音声制御部２８に対し、例えば、「緊急通報装置のＡＣアダプタを接続してください。」というようなメッセージＥを、音声信号に変換させることで、このメッセージＥを監視者側の電話端末４に送信させる。
【００８３】
Ｓ３３０では、緊急ボタン３４が押下されたか否かを判断する。そして、緊急ボタン３４が押下されていなければ、Ｓ３５０に移行し、緊急ボタン３４が押下されていれば、Ｓ３４０にて緊急通報処理を実行した後、Ｓ３５０に移行する。
【００８４】
なお、Ｓ３５０の緊急通報処理では、Ｓ１５０の処理と同様、音声制御部２８に対し、例えば、「緊急連絡です。緊急通報装置の押しボタンが押されました。」というようなメッセージＡを、音声信号に変換させることで、このメッセージＡを監視者側の電話端末４に送信させる。
【００８５】
次に、Ｓ３５０では、現在時刻が予め設定された定期送信時刻であるか否かを判断する。そして、現在時刻が定期送信時刻でなければ、Ｓ３８０に移行し、現在時刻が定期送信時刻であれば、Ｓ３６０に移行する。
【００８６】
Ｓ３６０では、Ｓ１８０にてカウントアップされる共通カウンタから得られる計時時間（人の動きを検出できていない時間）が、予め設定された元気判定閾値以下であるか否かを判断することで、監視対象者が元気に動いているか否かを判断する。
【００８７】
そして、Ｓ３６０にて、共通カウンタによる計時時間が元気判定閾値以下で、監視対象者は元気であると判断されると、Ｓ３７０にて、定期送信処理を実行した後、Ｓ３８０に移行し、Ｓ３６０にて、共通カウンタによる計時時間が元気判定閾値を越えていると判断されると、そのままＳ３８０に移行する。
【００８８】
なお、Ｓ３７０の定期送信処理は、監視者側の電話端末４に対し、監視対象者は元気であることを通知するための処理であり、電話回線制御部２２を介して、電話端末４を所定期間呼び出し、その後、電話回線を遮断することにより実行され、緊急通報処理のようなメッセージの送信は実施しない。
【００８９】
これは、電話端末４との間の通信によって通信費用を発生させることなく、監視者側の電話端末４に定期送信（元気通知）の履歴を残すことができるようにするためである。
次に、Ｓ３８０では、第２無線制御部２６にて、ブルートゥースの無線信号が受信されたか否かを判断する。
【００９０】
そして、第２無線制御部２６にてブルートゥースの無線信号が受信されていれば、Ｓ３９０に移行して、緊急通報装置１０の動作設定を行う動作設定処理を実行した後、Ｓ１１０に移行し、第２無線制御部２６にてブルートゥースの無線信号が受信されていなければ、そのままＳ１１０に移行する。
【００９１】
なお、Ｓ３９０の動作設定処理は、通信ボタン３６が押下されることにより予め登録（ペアリング）された設定部１６からの指令に従い、通信対象となる子機（検出部１２，操作部１４）の識別情報、監視者側の電話端末４の電話番号、定期送信時刻、等を登録するための処理である。
【００９２】
次に、Ｓ１５０、Ｓ２００、Ｓ２３０、Ｓ２８０、Ｓ３２０及びＳ３４０にて実行される緊急通報処理、Ｓ３７０にて実行される定期送信処理、及び、Ｓ３９０にて実行される動作設定処理について説明する。
【００９３】
図４に示すように、緊急通報処理が開始されると、まずＳ４１０にて、ＬＥＤ３２を点灯状態から点滅状態に切り替え、Ｓ４２０にて、通報先となる電話端末４の登録番号Ｎに初期値１を設定する。
【００９４】
そして、続くＳ４３０では、登録番号Ｎに通報先となる電話端末４（以下、単に通報先Ｎともいう）が登録されているか否かを判断し、通報先Ｎが登録されていなければ、後述のＳ５８０に移行する。
【００９５】
また、Ｓ４３０にて、通報先Ｎが登録されていると判断されると、Ｓ４４０に移行して、電話回線制御部２２を電話回線に接続（所謂オフフック）させて、公衆電話回線網９（換言すれば電話局）からの発信音を確認し、続くＳ４５０にて、その発信音を確認できたか否かを判断する。
【００９６】
そして、発信音を確認できなければ、Ｓ４６０に移行して、予め設定された発信音の確認時間が経過したか否かを判断し、確認時間が経過していなければ、再度４４０、Ｓ４５０の処理を実行することで、発信音を確認できるのを待つ。
【００９７】
また、Ｓ４６０にて、発信音の確認時間が経過したと判断されると、電話回線制御部２２から電話局に至る経路で何らかの異常が生じていると判断して、後述のＳ５７０に移行する。
【００９８】
次に、Ｓ４５０にて、発信音を確認できたと判断すると、Ｓ４７０に移行し、予め登録されている通報先Ｎの電話番号をメモリから読み出し、電話回線制御部２２を介して、その電話番号の電話端末４を呼び出す。
【００９９】
なお、Ｓ４７０にて通報先Ｎの電話端末４を呼び出す際には、通報先Ｎの電話番号の前に、呼び出す側の電話番号を通知する識別番号（一般に「１８６」）を付与することで、自身の電話番号を通知する。
【０１００】
そして、続くＳ４８０では、その呼び出しにより通報先Ｎの電話端末４が応答してきたか否か（つまり、通報先Ｎに接続できたか否か）を判断し、通報先Ｎに接続できていなければ、Ｓ４９０に移行して、予め設定された呼び出し時間が経過したか否かを判断する。
【０１０１】
Ｓ４９０にて、呼び出し時間は経過していないと判断されると、再度４７０、Ｓ４８０の処理を実行することで、通報先Ｎの呼び出し及び接続確認を継続し、Ｓ４９０にて、呼び出し時間が経過したと判断されると、通報先Ｎの電話端末４の所有者（つまり監視者）は電話に出ることができないものと判断して、後述のＳ５７０に移行する。
【０１０２】
また、Ｓ４８０にて、通報先Ｎに接続できたと判断されると、Ｓ５００に移行して、音声制御部２８に対し、所定の指定メッセージ（上述したメッセージＡ〜Ｅの何れか）を音声信号に変換させることで、指定メッセージを再生させる。
【０１０３】
この結果、電話回線制御部２２から通報先Ｎの電話端末４には、指定メッセージが音声にて送信されることになる。
次に、続くＳ５１０では、通報先Ｎの電話端末４からメッセージを確認できたときに送信されてくるＰＢ信号（トーン信号）が、電話回線制御部２２にて受信されたか否かを判断する。
【０１０４】
そして、電話回線制御部２２にてＰＢ信号が受信された場合には、監視者にメッセージを通知できたと判断して、Ｓ５２０に移行し、電話回線制御部２２を電話回線から遮断（所謂オンフック）させた後、後述のＳ５３０に移行する。
【０１０５】
なお、ＰＢ信号（トーン信号）は、プッシュ信号とも呼ばれ、通報先Ｎの監視者が電話端末４の操作ボタンを操作することで送信されてくるものであるため、Ｓ５１０では、ＰＢ信号により、監視者による電話端末４の操作を確認することで、監視者にメッセージを通知できたことを正確に判断することができる。
【０１０６】
次に、Ｓ５１０にて、所定のＰＢ信号を受信できていないと判断された場合には、Ｓ５４０に移行し、通報先Ｎで電話回線が切断されたか否かを判断する。そして、電話回線が切断されていれば、Ｓ５６０に移行し、電話回線が切断されていなければ、Ｓ５５０に移行して、メッセージの送信時間が予め設定された再生時間に達したか否かを判断する。
【０１０７】
Ｓ５５０にて、メッセージの送信時間は、予め設定された再生時間に達していないと判断された場合には、再度Ｓ５００に移行し、Ｓ５５０にて、メッセージの送信時間が、予め設定された再生時間に達していると判断された場合には、Ｓ５６０に移行する。
【０１０８】
Ｓ５６０では、音声制御部２８によるメッセージの再生を終了させ、続くＳ５７０では、電話回線制御部２２を電話回線から遮断（所謂オンフック）させる。
また、続くＳ５８０では、現在、通報先Ｎの電話端末４にメッセージを通知できていないか、或いは、登録番号Ｎには通報先となる電話端末４が登録されていないことから、通報先Ｎの電話端末４を変更すべく、登録番号Ｎをカウントアップし、Ｓ５９０に移行する。そして、Ｓ５９０では、その登録番号Ｎが最大値Ｎｍａｘを越えたか否かを判断する。
【０１０９】
登録番号Ｎが最大値Ｎｍａｘを越えていなければ、登録番号Ｎの電話端末４に対しメッセージを送信すべく、Ｓ４３０に移行し、登録番号Ｎが最大値Ｎｍａｘを越えていれば、Ｓ６００に移行して、呼び出し回数Ｍをカウントアップする。
【０１１０】
この呼び出し回数Ｍは、緊急通報処理で、予め登録されている電話端末４を呼び出した回数を表すカウント値であり、緊急通報処理の開始時には、初期値１が設定される。
Ｓ６００にて呼び出し回数Ｍをカウントアップすると、Ｓ６１０に移行して、そのカウントアップした呼び出し回数Ｍは、予め設定された上限値Ｍｍａｘ（例えば１０回）に達しているか否かを判断する。
【０１１１】
そして、呼び出し回数Ｍが上限値Ｍｍａｘに達していなければ、Ｓ４２０に移行して、上記一連の処理を再度実行し、呼び出し回数Ｍが上限値Ｍｍａｘに達していれば、Ｓ５３０に移行して、ＬＥＤ３２を点滅状態から点灯状態に切り替えた後、当該緊急通報処理を終了する。
【０１１２】
次に、図５に示すように、図３のＳ３７０にて実行される定期送信処理では、まずＳ７１０にて、ＬＥＤ３２を点灯状態から点滅状態に切り替え、Ｓ７２０にて、通報先となる電話端末４の登録番号Ｎに初期値１を設定する。
【０１１３】
そして、続くＳ７３０では、登録番号Ｎに通報先となる電話端末４（つまり、通報先Ｎ）が登録されているか否かを判断し、通報先Ｎが登録されていなければ、後述のＳ８３０に移行する。
【０１１４】
また、Ｓ７３０にて、通報先Ｎが登録されていると判断されると、Ｓ７４０に移行して、通報先Ｎの電話端末４に対する定期送信は完了しているか否かを判断する。そして、通報先Ｎへの定期送信が完了している場合にも、後述のＳ８３０に移行する。
【０１１５】
一方、Ｓ７４０にて、通報先Ｎへの定期送信は完了していないと判断された場合には、Ｓ７５０に移行し、電話回線制御部２２を電話回線に接続（オフフック）させて、公衆電話回線網９（換言すれば電話局）からの発信音を確認する。
【０１１６】
そして、続くＳ７６０では、その発信音を確認できたか否かを判断し、発信音を確認できなければ、Ｓ７７０に移行して、予め設定された発信音の確認時間が経過したか否かを判断し、確認時間が経過していなければ、再度７５０、Ｓ７６０の処理を実行することで、発信音を確認できるのを待つ。
【０１１７】
また、Ｓ７７０にて、発信音の確認時間が経過したと判断されると、電話回線制御部２２から電話局に至る経路で何らかの異常が生じていると判断して、Ｓ８０５に移行し、電話回線制御部２２を電話回線から遮断（オンフック）させた後、Ｓ８３０に移行する。
【０１１８】
次に、Ｓ７６０にて、発信音を確認できたと判断すると、Ｓ７８０に移行し、予め登録されている通報先Ｎの電話番号をメモリから読み出し、電話回線制御部２２を介して、その電話番号の電話端末４を呼び出す。
【０１１９】
なお、Ｓ７８０にて通報先Ｎの電話端末４を呼び出す際には、通報先Ｎの電話番号の前に、呼び出す側の電話番号を通知しない識別番号（一般に「１８４」）を付与することで、自身の電話番号を通知しない非通知とする。
【０１２０】
そして、続くＳ７９０では、その呼び出しにより電話局から周期的に送信されてくる呼び出し音を所定回数（１回又は複数回）確認できたか否かを判断し、呼び出し音を確認できなければ、Ｓ８００に移行して、予め設定された呼び出し時間が経過したか否かを判断する。
【０１２１】
Ｓ８００にて、呼び出し時間は経過していないと判断されると、再度７８０、Ｓ７９０の処理を実行することで、通報先Ｎの呼び出し及び呼び出し音の確認を継続する。また、Ｓ８００にて、呼び出し時間が経過したと判断されると、電話回線制御部２２から通報先Ｎに至る経路で何らかの異常が生じていると判断して、Ｓ８０５に移行し、電話回線制御部２２を電話回線から遮断（オンフック）させる。
【０１２２】
次に、Ｓ７９０にて、呼び出し音を確認できたと判断されると、Ｓ８１０に移行して、電話回線制御部２２を電話回線から遮断（オンフック）させ、続くＳ８２０にて、通報先Ｎへの定期送信が完了したことを記憶し、Ｓ８３０に移行する。
【０１２３】
Ｓ８３０では、登録番号Ｎをカウントアップし、続くＳ８４０にて、その登録番号Ｎが最大値Ｎｍａｘを越えたか否かを判断する。登録番号Ｎが最大値Ｎｍａｘを越えていなければ、登録番号Ｎの電話端末４（つまり通報先Ｎ）に対する定期送信を実行すべく、Ｓ７３０に移行する。
【０１２４】
また、登録番号Ｎが最大値Ｎｍａｘを越えていれば、Ｓ８５０に移行して、登録済みの全ての通報先の電話端末４に対する定期送信は完了したか否かを判断する。なお、この判定は、Ｓ８２０による定期送信済み通報先Ｎの記憶結果に基づき行われる。
【０１２５】
そして、Ｓ８５０にて、登録済みの全ての通報先の電話端末４に対する定期送信は完了していないと判断されると、Ｓ８７０にて、呼び出し回数Ｍをカウントアップし、Ｓ８８０にて、そのカウントアップした呼び出し回数Ｍは、予め設定された上限値Ｍｍａｘに達しているか否かを判断する。
【０１２６】
なお、Ｓ８７０、Ｓ８８０の処理は、緊急通報処理でのＳ６００、Ｓ６１０の処理と同様であり、呼び出し回数Ｍには、定期送信処理の開始時に初期値１が設定されるカウント値が利用される。
【０１２７】
Ｓ８８０にて、呼び出し回数Ｍは上限値Ｍｍａｘに達していないと判断された場合には、Ｓ７２０に移行することで、上記一連の処理を再度実行し、Ｓ８８０にて、呼び出し回数Ｍは上限値Ｍｍａｘに達していると判断された場合には、Ｓ８６０に移行する。
【０１２８】
そして、Ｓ８６０では、ＬＥＤ３２を点滅状態から点灯状態に切り替え、当該定期送信処理を出漁する。
次に、図６に示すように、図３のＳ３９０にて実行される動作設定処理では、まずＳ９１０にて、第２無線制御部２６にて受信された無線信号は、通信ボタン３６を押下することにより予めペアリングされた設定部１６からの要求信号であるか否かを判断する。
【０１２９】
そして、第２無線制御部２６にて受信された無線信号が、ペアリングされた設定部１６からの要求信号であれば、Ｓ９３０に移行し、そうでなければ、Ｓ９２０に移行して、第２無線制御部２６から接続拒否を表す応答信号を送信させる。つまり、Ｓ９２０では、今回、第２無線制御部２６に無線信号を送信してきた情報処理端末との通信を拒否し、当該動作設定処理を終了する。
【０１３０】
次に、Ｓ９３０では、第２無線制御部２６にて受信された要求信号は、動作設定の更新要求であるか否かを判断する。そして、要求信号が動作設定の更新要求であれば、Ｓ９４０に移行して、その更新要求に従い、緊急通報装置１０自身の動作設定を更新し、第２無線制御部２６から、更新要求を送信してきた設定部１６に向けて、更新済みを表す応答信号を送信させ、当該動作設定処理を終了する。
【０１３１】
なお、設定部１６からの更新要求にて更新可能な動作設定のパラメータは、通信対象となる子機の個数、各子機の種別（検出部・操作部）、各子機の設置場所（居間・台所・トイレ…等）、通報先の個数、各通報先（電話端末４）の電話番号、各通報先の電話回線の種別、人感センサ４４による監視時間帯、共通カウンタにより監視対象者の異常を判定する時間（異常判定閾値）、定期送信の時刻、等である。
【０１３２】
そして、Ｓ９４０にて、これらパラメータを更新する際には、設定部１６からの更新要求に付与されている現在時刻を読み込み、緊急通報装置１０内の時計の計時時刻を、その読み込んだ時刻と一致させることで、定期送信する際の時刻を、設定部１６側の計時時刻と一致させる。
【０１３３】
次に、Ｓ９３０にて、設定部１６からの要求信号は、動作設定の更新要求ではないと判断されると、Ｓ９５０に移行して、設定部１６からの要求信号は、動作設定の確認要求であるか否かを判断する。
【０１３４】
そして、要求信号が、動作設定の確認要求であれば、メモリから、現在設定されている動作設定の内容を表す動作設定データを読み込み、第２無線制御部２６から、確認要求を送信してきた設定部１６に向けて送信させ、当該動作設定処理を終了する。
【０１３５】
また次に、Ｓ９５０にて、設定部１６からの要求信号は、動作設定の確認要求ではないと判断されると、Ｓ９７０に移行して、設定部１６からの要求信号は、動作モードの切り替え要求であるか否かを判断する。
【０１３６】
動作モードの切り替え要求は、緊急通報装置１０の動作モードを、図３の制御処理を実行する通常モードから、緊急通報装置１０の動作確認を行う動作テストモードに切り換えるためのものである。
【０１３７】
そして、Ｓ９７０にて、設定部１６からの要求信号が動作モードの切り替え要求であると判断されると、Ｓ９８０に移行して、動作テストを実行し、続くＳ９９０にて、動作テスト実行時の動作ログを、第２無線制御部２６から、動作モードの切り替え要求を送信してきた設定部１６に向けて送信させ、当該動作設定処理を終了する。
【０１３８】
また、Ｓ９７０にて、設定部１６からの要求信号が動作モードの切り替え要求ではないと判断された場合には、そのまま当該動作設定処理を終了する。
なお、Ｓ９８０での動作テストは、登録されている子機である検出部１２又は操作部１４からの送信信号に基づき、通報先の電話端末４を呼び出し、動作テスト用の定型音声メッセージを送信する、という通常モードと略同様の動作を実施するものであり、通常モードとは異なる点は、動作テスト中に図７に例示する動作ログをメモリに記憶し、動作テスト完了後に、その記憶した動作ログを設定部１６に送信する点である。
【０１３９】
以上説明したように、本実施形態の緊急通報装置１０によれば、緊急ボタン３４や、操作部１４の押しボタン６４が操作されたとき、或いは、検出部１２の人感センサ４４にて監視対象者の動きが検出されなくなったときに、その旨を表す音声メッセージを監視者側の電話端末４に送信する。このため、監視者側では、その音声メッセージにより、監視対象者側の異常を速やかに検知して、適正な対応をとることができる。
【０１４０】
また、本実施形態の緊急通報装置１０によれば、検出部１２の人感センサ４４にて、監視対象者の正常な動きが検出されているときには、定期送信にて、その旨が監視者側の電話端末４に通知される。
【０１４１】
このため、本実施形態の緊急通報装置１０によれば、監視対象者側で異常が生じた際に、その旨を監視者に緊急通報することができるだけでなく、監視対象者が元気であることを、監視者に定期的に通知することができる。
【０１４２】
また、この通知は、電話端末４を、呼び出し音１回分若しくは複数回分だけ呼び出すことにより実施され、その呼び出しが完了するか、呼び出しが完了するまでに所定時間が経過すると、緊急通報装置１０が自動で電話回線から切断される。
【０１４３】
このため、監視者は、電話に出ることなく、監視対象者が元気であることを定期的に確認することが可能となり、しかも、その通知のための通信費用を抑制できる。
また、緊急通報は、送信元の電話番号を通知することにより行われ、定期送信は、電話番号を非通知にすることにより行われることから、監視者は、電話端末４に電話がかかってきたときに、緊急通報であるか否かを、送信元の電話番号から識別することができる。
【０１４４】
また、定期送信は、非通知で行われるが、送信時刻が決まっているので、監視者は、電話端末４に非通知で電話がかかってきたときに、それが緊急通報装置１０からの定期送信であるか否かを識別することができる。
【０１４５】
また、緊急通報装置１０からの定期送信や緊急通報は、電話端末４の着信履歴から識別することもできる。
なお、本実施形態においては、押しボタン６４を備えた操作部１４に加えて、緊急ボタン３４が本発明の操作部に相当する。また、緊急通報装置１０のマイコン３０にて実行される制御処理の内、図４に示した緊急通報処理が、本発明の緊急通報手段として機能し、図５に示した定期送信処理が、本発明の定期送信手段として機能する。
【０１４６】
以上、本発明の一実施形態について説明したが、本発明は、上記実施形態に限定されるものではなく、本発明の要旨を逸脱しない範囲内にて、種々の態様をとることができる。
例えば、上記実施形態では、監視対象者が外出して不在であることは、外出ボタン３５を操作（押下）することによって、緊急通報装置１０に通知するものとして説明したが、監視対象者が外出する際に外出ボタン３５を操作し忘れることも考えられる。
【０１４７】
そして、外出ボタン３５が操作されていないと、マイコン３０が、監視対象者が動いていないことを誤認識して、通報先の電話端末４に緊急通報がなされることが考えられる。
そこで、このような問題を防止するために、例えば、監視対象者に、送信機を組み込んだペンダント若しくはバッジを付与し、緊急通報装置１０側では、その送信機からの送信電波を受信できなくなったときに、監視対象者が外出したことを自動で認識するようにしてもよい。
【０１４８】
また次に、上記実施形態では、緊急通報装置１０の動作設定は、ブルートゥースを利用した無線通信にて行うものとして説明したが、設定部１６を構成する情報処理端末から、ＬＡＮやＵＳＢ等の通信ケーブルを利用して行うようにしてもよく、緊急通報装置１０からの音声ガイダンスに従い、遠隔地の電話機（設定部）から公衆電話回線網を利用して行うようにしてもよい。
【０１４９】
そして、このようにしても、設定部１６側では、設定内容を取り込み、記憶することができるので、監視者は、緊急通報装置１０の設定内容をいつでも確認することができ、必要に応じて設定変更することができる。
【符号の説明】
【０１５０】
２…監視対象住宅、４…電話端末、６…固定電話機、７…分配器、８…壁面端子、９…公衆電話回線網、１０…緊急通報装置、１２…検出部、１４…操作部、１６…設定部、２１…電話コネクタ、２２…電話回線制御部、２３…アンテナ、２４…第１無線制御部、２５…アンテナ、２６…第２無線制御部、２８…音声制御部、３０…マイコン、３２…ＬＥＤ、３４…緊急ボタン、３５…外出ボタン、３６…通信ボタン、３７…ＡＣジャック、３８…電源制御部、４１…アンテナ、４２…第１無線制御部、４４…人感センサ、４６…ＬＥＤ、４７…ＡＣジャック、４８…電源制御部、５０…マイコン、６１…アンテナ、６２…第１無線制御部、６４…押しボタン、６７…電池、６８…電源制御部、７０…マイコン。
【図１】
2016095717.tif 000003
【図２】
2016095717.tif 000004
【図３】
2016095717.tif 000005
【図４】
2016095717.tif 000006
【図５】
2016095717.tif 000007
【図６】
2016095717.tif 000008
【図７】
2016095717.tif 000009